(57)【特許請求の範囲】
【請求項１】
被洗浄物を収容する洗浄槽と、
この洗浄槽内に洗浄水を供給する洗浄水供給管と、
前記洗浄槽内の洗浄水が所定水位であることを検出する水位センサと、
前記洗浄槽内に収容した前記被洗浄物に洗浄水を噴射する洗浄ノズルと、
前記洗浄槽内の洗浄水を前記洗浄ノズルに送出する洗浄ポンプと、
前記洗浄槽内の洗浄水を排水する排水ポンプと、
前記洗浄水供給管から前記洗浄槽内に前記所定水位の洗浄水を供給する給水処理と、供給された洗浄水を前記洗浄ポンプにより前記洗浄ノズルから前記被洗浄物に噴射して洗浄する洗浄処理と、洗浄に用いた洗浄水を前記排水ポンプにより排水する排水処理とからなる洗浄工程を少なくとも１回以上含む洗浄プログラムを実行するよう制御する制御装置とを備えた洗浄機において、
前記制御装置は、前記洗浄水供給管から前記洗浄槽内に供給される洗浄水が前記水位センサにより前記所定水位を検出するまでの時間からその単位時間当たりの流量を算出して記憶する流量算出手段を備え、この流量算出手段により記憶した洗浄水の流量に基づいて前記所定水位となるまでの給水時間を算出し、この算出した給水時間を用いて前記洗浄プログラムが終了するまでの残り時間を算出してこれを表示するようにしたものであり、
前記制御装置は、前記洗浄槽内の洗浄水が前記所定水位であるときに前記排水ポンプを所定時間駆動させて排水し、排水後に前記洗浄水供給管から前記洗浄槽内に洗浄水を再び前記所定水位となるまで供給したときの供給時間と前記洗浄水の流量とから前記排水ポンプを所定時間駆動させたときの排水量を算出し、算出した排水量から前記排水ポンプの単位時間当たりの排水流量を算出して記憶する排水流量算出手段をさらに備えたことを特徴とする洗浄機。
【請求項２】
請求項１に記載の洗浄機において、
前記制御装置は、前記洗浄プログラムを実行しているときに前記流量算出手段を実行するように制御したことを特徴とする洗浄機。
【請求項３】
請求項１または２に記載の洗浄機において、
前記制御装置は、前記洗浄プログラムを実行しているときに前記排水流量算出手段を実行するように制御したことを特徴とする洗浄機。
【発明の詳細な説明】
【技術分野】
【０００１】
本発明は、洗浄機に関するものである。
【背景技術】
【０００２】
特許文献１には、被洗浄物を収容する洗浄槽と、洗浄槽内に洗浄水を供給する洗浄水供給管と、洗浄槽内に収容した被洗浄物に洗浄水を噴射する洗浄ノズルと、洗浄槽内の洗浄水を洗浄ノズルに送出する洗浄ポンプと、洗浄槽内の洗浄水を排水する排水ポンプとを備えた洗浄機が開示されている。この洗浄機では、洗浄水供給管から洗浄槽内に所定水位の洗浄水を供給する給水処理と、供給された洗浄水を洗浄ポンプにより洗浄ノズルから被洗浄物に噴射して洗浄する洗浄処理と、洗浄に用いた洗浄水を排水ポンプにより排水する排水処理とからなる洗浄工程と、洗浄工程と同様に給水処理と、洗浄処理と、排水処理とからなる濯ぎ工程と、乾燥工程とからなる洗浄プログラムを実行している。この洗浄機では、洗浄プログラムが完了するまでの残り時間を操作パネルの残り時間表示ＬＥＤに表示させている。
【先行技術文献】
【特許文献】
【０００３】
【特許文献１】特開２００２−２６３０４９号公報
【発明の概要】
【発明が解決しようとする課題】
【０００４】
上記のような洗浄機において、洗浄プログラムが完了するまでの残り時間を算出するときに、洗浄水供給管から供給される洗浄水の水圧によって給水時間が変化する問題があった。そこで、特許文献１の洗浄機においては、洗浄水供給管に流量センサを介装し、この流量センサの検出流量に基づいて給水時間を算出し、この算出した給水時間から残り時間を算出して操作パネルの残り時間表示ＬＥＤに表示させている。しかし、流量センサは高価であるので、洗浄機のコストが高くなる問題があった。また、流量センサが故障したときには給水時間を算出することができなくなり、その結果、残り時間も表示できなくなる問題があった。本発明はこのような問題を解決することを目的とする。
【課題を解決するための手段】
【０００５】
本発明は上記課題を解決するため、被洗浄物を収容する洗浄槽と、この洗浄槽内に洗浄水を供給する洗浄水供給管と、洗浄槽内の洗浄水が所定水位であることを検出する水位センサと、洗浄槽内に収容した被洗浄物に洗浄水を噴射する洗浄ノズルと、洗浄槽内の洗浄水を洗浄ノズルに送出する洗浄ポンプと、洗浄槽内の洗浄水を排水する排水ポンプと、洗浄水供給管から洗浄槽内に所定水位の洗浄水を供給する給水処理と、供給された洗浄水を洗浄ポンプにより洗浄ノズルから被洗浄物に噴射して洗浄する洗浄処理と、洗浄に用いた洗浄水を排水ポンプにより排水する排水処理とからなる洗浄工程を少なくとも１回以上含む洗浄プログラムを実行するよう制御する制御装置とを備えた洗浄機において、制御装置は、洗浄水供給管から洗浄槽内に供給される洗浄水が水位センサにより所定水位を検出するまでの時間からその単位時間当たりの流量を算出して記憶する流量算出手段を備え、この流量算出手段により記憶した洗浄水の流量に基づいて所定水位となるまでの給水時間を算出し、この算出した給水時間を用いて洗浄プログラムが終了するまでの残り時間を算出してこれを表示するようにしたものであり、制御装置は、洗浄槽内の洗浄水が所定水位であるときに排水ポンプを所定時間駆動させて排水し、排水後に洗浄水供給管から洗浄槽内に洗浄水を再び所定水位となるまで供給したときの供給時間と洗浄水の流量とから排水ポンプを所定時間駆動させたときの排水量を算出し、算出した排水量から排水ポンプの単位時間当たりの排水流量を算出して記憶する排水流量算出手段をさらに備えたことを特徴とする洗浄機を提供するものである。
【０００６】
上記のように構成した洗浄機においては、制御装置は、洗浄水供給管から洗浄槽内に供給される洗浄水が水位センサにより所定水位を検出するまでの時間からその単位時間当たりの流量を算出して記憶する流量算出手段を備え、この流量算出手段により記憶した洗浄水の流量に基づいて所定水位となるまでの給水時間を算出し、この算出した給水時間を用いて洗浄プログラムが終了するまでの残り時間を算出してこれを表示するようにしたので、洗浄水供給管に高価な流量センサを介装する必要がなくなり、コストダウンをすることができる。また、洗浄水供給管に流量センサを介装する必要がないので、部品点数が減って洗浄機が故障する可能性を減らすことができる。さらに、洗浄槽内の洗浄水が所定水位であるときに排水ポンプを所定時間駆動させて排水し、排水後に洗浄水供給管から洗浄槽内に洗浄水を再び所定水位となるまで供給したときの供給時間と洗浄水の流量とから排水ポンプを所定時間駆動させたときの排水量を算出し、算出した排水量から排水ポンプの単位時間当たりの排水流量を算出して記憶する排水流量算出手段を備えたので、高価な流量センサを排水経路に介装してコストアップさせることなく、排水ポンプによる排水流量を算出することができるようになる。
【０００７】
上記のように構成した洗浄機において、制御装置は、洗浄プログラムを実行しているときに流量算出手段を実行するように制御するのが好ましく、このようにしたときには、流量算出手段を実行するために洗浄水を余分に使う必要がなくなる。
【０００９】
上記のように構成した洗浄機において、制御装置は、洗浄プログラムを実行しているときに排水流量算出手段を実行するように制御するのが好ましく、このようにしたときには、排水流量算出手段を実行するために使う洗浄水を減らすことができる。
【図面の簡単な説明】
【００１０】
【図１】本発明による洗浄機の側面から見た概略図である。
【図２】案内部材の斜視図である。
【図３】排水補助板の斜視図である。
【図４】制御装置のブロック図である
【図５】洗浄機の作動を示すフローチャートである。
【図６】通常モードでのアルカリ性洗剤コースの洗浄プログラムを示すフローチャートである。
【図７】測定モードでのアルカリ性洗剤コースの洗浄プログラムを示すフローチャートである。
【図８】通常モードでの酵素入り洗剤コースの洗浄プログラムを示すフローチャートである。
【図９】測定モードでの酵素入り洗剤コースの洗浄プログラムを示すフローチャートである。
【発明を実施するための形態】
【００１１】
以下に、本発明による洗浄機の一実施形態を医療用器具を洗浄する洗浄機を用いて図面を参照して説明する。本発明による洗浄機１０は、医療用器具（被洗浄物）を収容する洗浄槽２０と、この洗浄槽２０内に洗浄水を供給する洗浄水供給管２８、２９と、洗浄槽２０内の洗浄水が所定水位Ｌであることを検出するフロートスイッチ（水位センサ）３７と、洗浄槽２０内に収容した医療用器具に洗浄水を噴射する洗浄ノズル２４、２５と、洗浄槽２０内の洗浄水を洗浄ノズル２４、２５に送出する洗浄ポンプ２７と、洗浄槽２０内の洗浄水を排出する排水ポンプ３４と、洗浄水供給管２８、２９から洗浄槽２０内に所定水位Ｌの洗浄水を供給する給水処理と、供給された洗浄水を洗浄ポンプ２７により洗浄ノズル２４、２５から医療用器具に噴射して洗浄する洗浄処理と、洗浄に用いた洗浄水を排水ポンプ３４により排水する排水処理とからなる洗浄工程を少なくとも１回以上含む洗浄プログラムを実行するよう制御する制御装置４０とを備えている。而して、この洗浄機１０においては、制御装置４０は、洗浄水供給管２８、２９から洗浄槽２０内に供給される洗浄水がフロートスイッチ３７により所定水位Ｌを検出するまでの時間からその単位時間当たりの流量を算出して記憶する給水流量算出手段、給湯流量算出手段（流量算出手段）を備え、これら給水流量算出手段、給湯流量算出手段により記憶した洗浄水の流量に基づいて所定水位Ｌとなるまでの給水時間を算出し、この算出した給水時間を用いて洗浄プログラムが終了するまでの残り時間を算出してこれを表示するようにした。以下に、この洗浄機１０について詳述する。
【００１２】
図１に示すように、この洗浄機１０は、箱状のハウジング１１内に洗浄槽２０を備えており、洗浄槽２０の下部には洗浄水を貯えるタンク部２０ａが一体的に設けられている。洗浄槽２０のタンク部２０ａの底部には、洗浄水の温度を検出する温度センサ２１が設けられている。洗浄槽２０の前面には医療用器具を収容する図示しないラックを出し入れする扉２２が設けられており、扉２２は図示しないヒンジにより下端を中心に回転可能に洗浄槽２０に支持されている。また、洗浄槽２０の上部には、扉２２の上部と対向する位置に扉２２の開閉状態を検出するドアスイッチ２３が設けられており、ドアスイッチ２３は扉２２が開いた状態でオフとなり、扉２２が閉じた状態でオンとなる。
【００１３】
洗浄槽２０の上面及び下面には洗浄水を噴射する洗浄ノズル２４、２５が回転可能に支持されている。これら洗浄ノズル２４、２５には洗浄槽２０の下部に設けられたタンク部２０ａから導出した循環パイプ２６が接続されており、循環パイプ２６には洗浄ポンプ２７が介装されている。洗浄ノズル２４、２５は洗浄ポンプ２７を作動させることでタンク部２０ａから循環パイプ２６を介して循環供給される洗浄水を回転しながら洗浄槽２０内に収容した医療用器具に向けて噴射する。なお、医療用器具に噴射された洗浄水は落下してタンク部２０ａに還流する。
【００１４】
洗浄槽２０の後壁上部には洗浄水を供給するための供給口２０ｂが１つ設けられており、この供給口２０ｂには洗浄水供給管を構成する給水管２８と給湯管２９とが管状のジョイント部材３１を介して接続されている。給水管２８は、例えば水道等の給水源から供給される水を給水弁２８ａを介して洗浄槽２０内に供給するものである。給湯管２９は、外部に設けた給湯器３０から供給される湯を給湯弁２９ａを介して洗浄槽２０内に供給するものである。なお、給湯器３０は例えば水道等の給水源から供給される水を加熱して給湯管２９に湯として送出するものである。なお、本実施形態においては、給水管２８から供給される水の温度は最大３０℃を想定し、給湯管２９から供給される湯の温度は最大７０℃を想定したものである。
【００１５】
ジョイント部材３１はゴム製の円管状の継手部材よりなり、前端側が供給口２０ｂに接続され、後端側の下部には給水管２８と給湯管２９とを接続する流入管部３１ａ、３１ｂが前後方向に並んで一体的に形成されている。ジョイント部材３１には、軸線方向に延びて管内を軸線方向と直交する方向で上下２つの通路Ｐ１、Ｐ２に液密に分ける仕切部３１ｃが一体的に形成されており、仕切部３１ｃは供給口２０ｂから洗浄槽２０内に突出する位置まで延出している。仕切部３１ｃにより分けられた各通路Ｐ１、Ｐ２はそれぞれ流入管部３１ａ、３１ｂに連通されている。給水管２８から通路Ｐ１に流入した水は通路Ｐ２に流入して給湯管２９からの湯と混ざることなく供給口２０ｂから洗浄槽２０内に送られる。また、給湯管２９から通路Ｐ２に流入した湯は通路Ｐ１に流入して給水管２８からの水と混ざることなく供給口２０ｂから洗浄槽２０内に送られる。また、ジョイント部材３１の仕切部３１ａは供給口２０ｂから洗浄槽２０内に突出する位置まで延出しているので、通路Ｐ１またはＰ２から洗浄槽２０内に送出される水または湯が供給口２０ｂ近傍から通路Ｐ２またはＰ１に流入することなく洗浄槽２０を落下することになる。
【００１６】
また、洗浄槽２０の供給口２０ｂの前側には供給口２０ｂから送出される洗浄水を水平方向から下方に案内する案内部材３２が設けられている。図２に示すように、この案内部材３２は、下面に開口部３２ａを備えた略箱形状をしており、供給口２０ｂから洗浄槽２０内に向けて水平方向に勢いよく放出される湯または水をその前板にあてることで下方のタンク部２０ａに落下させるものである。なお、案内部材３２は、下面に開口部３２ａを備えた略箱形状のものに限られるものでなく、供給口２０ｂから下方に湾曲させた管状部材を用いても同様の作用効果を得ることができる。
【００１７】
洗浄槽２０のタンク部２０ａには、その底面に形成した排水口２０ｃに排水管３３が接続されており、排水管３３には排水ポンプ３４が介装されている。排水ポンプ３４はその作動によりタンク部２０ａの洗浄水を排水管３３を通して機外に排出する。また、タンク部２０ａの排水口２０ｃの上側には排水補助板３５が隙間を開けて設けられている。図３に示すように、排水補助板３５は、排水口２０ｃの周囲に表面張力で盛り上がって残る洗浄水を排水口２０ｃに導くものであり、円形の排水口２０ｃの上側に設けられてこれより大きな大きさをした正方形の板部３５ａと、この板部３５ａの各角部から下方に延びる脚部３５ｂとからなる。排水補助板３５は、排水口２０ｃの周囲に突設した４つの係止突起２０ｄを板部３５ａの各角部に形成した係止孔部３５ｃに挿入して位置決めされている。この実施形態では、排水口２０ｃの直径は３ｃｍで、排水補助板３５は板部３５ａの一辺の長さが６ｃｍで、脚部３５ｂの長さが７ｍｍとなっている。
【００１８】
また、洗浄槽２０のタンク部２０ａには水位検出タンク３６が接続されており、水位検出タンク３６内にはフロートスイッチ（水位センサ）３７が収容されている。フロートスイッチ３７は洗浄槽２０のタンク部２０ａの洗浄水が洗浄に必要な所定水位Ｌ以上であること検出するものであり、所定水位Ｌ以上となればオンとなり、所定水位Ｌより低ければオフとなる。本実施形態では、タンク部２０ａの洗浄水が所定水位Ｌとなったときの水量は５Ｌとなっている。また、洗浄槽２０内にはオーバーフロー管３８が設けられており、このオーバーフロー管３８は、上記の所定水位Ｌより高い水位に設定された上限水位以上の洗浄水を排水するものである。なお、本実施形態では、タンク部２０ａが上限水位となったときの水量は７Ｌとなっている。
【００１９】
洗浄槽２０には、洗剤を供給する洗剤供給装置３９が設けられている。洗剤供給装置３９は、洗剤を貯えた図示しない洗剤タンクを着脱可能に装着し、洗剤タンク内の洗剤を洗浄槽２０内に供給するものである。この洗浄機１０ではアルカリ性洗剤またはプロテアーゼ等の酵素を含んだ酵素入り洗剤が用いられ、これら洗剤を貯えた洗剤タンクを交換することでアルカリ性洗剤と酵素入り洗剤を選択的に使用可能となっている。なお、酵素入り洗剤は、プロテアーゼ等の酵素が失活しない温度として５０℃以下での使用が適している。
【００２０】
この洗浄機１０は制御装置４０を備えており、図４に示すように、この制御装置４０には温度センサ２１、ドアスイッチ２３、洗浄ポンプ２７、給水弁２８ａ、給湯弁２９ａ、排水ポンプ３４、フロートスイッチ３７及び洗剤供給装置３９が接続されている。制御装置４０はマイクロコンピュータ（図示省略）を有しており、マイクロコンピュータは、バスを介してそれぞれ接続されたＣＰＵ、ＲＡＭ、ＲＯＭ及びタイマ（いずれも図示省略）を備えている。ＣＰＵは、温度センサ２１の検出温度、ドアスイッチ２３、フロートスイッチ３７からのオンオフ信号及びタイマの計時に基づいて、洗浄ポンプ２７、給水弁２８ａ、給湯弁２９ａ、排水ポンプ３４及び洗剤供給装置３９の作動を制御して下記に示す各洗浄プログラムを実行する。ＲＡＭは各洗浄プログラムを実行するのに必要な変数、後述する単位時間当たりの給水流量、給湯流量及び排水流量を一時的に記憶するものであり、ＲＯＭは各洗浄プログラムを記憶するものである。制御装置４０は、ハウジング１１のフロントパネルに設けられた操作パネル４１に接続されており、この操作パネル４１を操作することでアルカリ性洗剤を用いた洗浄プログラムまたは酵素入り洗剤を用いた洗浄プログラムを選択可能となっている。また、操作パネル４１は、洗浄プログラムが終了するまでの残り時間及びエラーを表示する表示部４１ａを備えている。
【００２１】
また、この洗浄機１０の洗浄プログラムは、通常モードでのアルカリ性洗剤コース、給水管２８からの単位時間当たりの給水流量と給湯管２９からの単位時間当たりの給湯流量を測定しながら洗浄をする測定モードでのアルカリ性洗剤コース、通常モードでの酵素入り洗剤コース、給水管２８と給湯管２９からの単位時間当たりの各流量及び排水ポンプ３４による単位時間当たりの排水流量を測定しながら洗浄をする測定モードでの酵素入り洗剤コースの各洗浄プログラムよりなる。また、各洗浄プログラムは、予洗浄工程、本洗浄工程及び２回の濯ぎ洗浄工程を実行するものであり、これら各洗浄工程は、給水処理、洗浄処理及び排水処理よりなる。また、本実施形態では、制御装置４０は、各コースの通常モードの洗浄プログラムを実行しているなかで、１０回に１回の割合で各コースの測定モードの洗浄プログラムを実行するように設定されている。
【００２２】
制御装置４０は、洗浄槽２０のタンク部２０ａが空の状態から給水管２８によりタンク部２０ａに供給される水がフロートスイッチ３７により所定水位Ｌを検出するまでの給水時間からその単位時間当たりの流量を算出してＲＡＭに記憶する給水流量算出手段を備えている。また、制御装置４０は、洗浄槽２０のタンク部２０ａが空の状態から給湯管２９によりタンク部２０ａに供給される湯がフロートスイッチ３７により所定水位Ｌを検出するまでの給湯時間からその単位時間当たりの流量を算出してＲＡＭに記憶する給湯流量算出手段を備えている。また、制御装置４０は、洗浄槽２０のタンク部２０ａの洗浄水が所定水位Ｌであるときに排水ポンプ３４を所定時間として１０秒間駆動させて排水し、排水後に給湯弁２９ａを開弁させて再びフロートスイッチ３７により所定水位Ｌを検出するまで給湯管（洗浄水供給管）２９から湯をタンク部２０ａに供給したときの給湯時間（供給時間）とＲＡＭに記憶された給湯流量（洗浄水の流量）とから排水ポンプ３４を所定時間として１０秒間駆動させたときの排水量を算出し、算出した排水量から排水ポンプ３４による単位時間当たりの排水流量を算出してＲＡＭに記憶する排水流量算出手段を備えている。なお、制御装置４０は、排水流量算出手段を実行するときに、給湯管２９からの給湯に代えて給水管２８からの給水によって排水流量を算出することも可能である。
【００２３】
制御装置４０は、各洗浄プログラムが完了するまでの時間を算出して完了するまでの残り時間を表示部４１ａに表示するように制御している。各洗浄プログラムは、上述したように、予洗浄工程、本洗浄工程及び２回の濯ぎ洗浄工程を実行し、各洗浄工程は、給水（給湯）処理、洗浄処理及び排水処理よりなる。各洗浄工程の給水（給湯）処理に要する時間はフロートスイッチ３７により所定水位Ｌを検出するまでの時間となり、給水管２８または給湯管２９の流量によって一定となっていない。そこで、制御装置４０は、各洗浄工程の給水（給湯）処理に要する時間をＲＡＭに記憶された給水流量及び／または給湯流量から洗浄水の給水（給湯）時間を算出している。また、各洗浄工程の洗浄処理及び排水処理に要する時間は、予め設定された時間となっている。各洗浄工程が完了するまでの時間は、上記のＲＡＭに記憶された給水流量及び／または給湯流量から算出された洗浄水の給水（給湯）時間と予め設定された洗浄処理と排水処理に要する時間とを加算した時間であり、各洗浄プログラムが完了するまでの時間は各洗浄工程に要する時間を加算した時間である。
【００２４】
なお、通常モードでの酵素入り洗剤コースでの洗浄プログラムでは、本洗浄工程で所定温度とするために給水管２８から給水し、この給水に応じて所定量の洗浄水を排水し、さらに、洗浄時間を長くしているので、通常モードでのアルカリ性洗剤コースと比べて完了までの時間を予め給水及び排水に５０秒、洗浄時間に３分長く設定している。また、測定モードでの酵素入り性洗剤コースの洗浄プログラムでは、排水流量算出手段を実行するために、通常モードと比べて完了までの時間を予め４０秒間長く設定している。
【００２５】
次に、上記のように構成した洗浄機１０の作動を図５〜９に示すフローチャートを用いて説明する。なお、この説明においては、上述した給水流量算出手段によって算出された給水管２８からの単位時間当たりの給水流量（以後、単に、給水流量ともいう）、給湯流量算出手段によって算出された給湯管２９からの単位時間当たりの給湯流量（以後、単に、給湯流量ともいう）及び排水流量算出手段によって算出された排水ポンプ３４の単位時間当たりの排水流量（以後、単に、排水流量ともいう）がＲＡＭに記憶された状態で説明する。
【００２６】
図５に示すように、ステップ１０１において、制御装置４０は、操作パネル４１により設定された洗浄コースがアルカリ性洗剤コースか否かを判定し、アルカリ性洗剤コースに設定されていれば、「ＹＥＳ」と判定してステップ１０２に進める。ステップ１０２において、制御装置４０は、洗浄回数をカウントする変数ｎ＝９、すなわち洗浄プログラムが９回実行されているか否かを判定し、ｎ＝９でなければ「ＮＯ」と判定して後述するステップ２００で規定された通常モードのアルカリ性洗剤コースの洗浄プログラムを実行する。通常モードでのアルカリ性洗剤コースの洗浄プログラムが完了すると、制御装置４０は、ステップ１０３において、洗浄回数をカウントする変数ｎを１つ加算してステップ１０８に進める。これに対し、洗浄回数をカウントする変数ｎ＝９であれば、制御装置４０は、ステップ１０２において、「ＹＥＳ」と判定して後述するステップ３００で規定された測定モードでのアルカリ性洗剤コースの洗浄プログラムを実行する。測定モードでのアルカリ性洗剤コースの洗浄プログラムが完了すると、制御装置４０は、ステップ１０４において、洗浄回数をカウントする変数ｎを０にクリアしてステップ１０８に進める。
【００２７】
また、操作パネル４１により設定された洗浄コースが酵素入り洗剤コースであるときには、ステップ１０１において、制御装置４０は、「ＮＯ」と判定してステップ１０５に進める。ステップ１０５において、制御装置４０は、変数ｎ＝９であるか否かを判定し、ｎ＝９でなければ「ＮＯ」と判定して後述するステップ４００で規定された通常モードの酵素入り洗剤コースの洗浄プログラムを実行する。通常モードでの酵素入り洗剤コースの洗浄プログラムが完了すると、制御装置４０は、ステップ１０６において、洗浄回数をカウントする変数ｎを１つ加算してステップ１０８に進める。これに対し、変数ｎ＝９であれば、制御装置４０は、ステップ１０５において、「ＹＥＳ」と判定して後述するステップ５００で規定された測定モードでの酵素入り洗剤コースの洗浄プログラムを実行する。測定モードでの酵素入り洗剤コースの洗浄プログラムが完了すると、制御装置４０は、ステップ１０７において、洗浄回数をカウントする変数ｎを０にクリアしてステップ１０８に進める。なお、各洗浄プログラムが正常に終了したときには、制御装置４０は、操作パネル４１の表示部４１ａに洗浄プログラムが終了するまでの残り時間である「０」を表示させ、各洗浄プログラムが正常に終了していないときには、制御装置４０は、表示部４１ａにエラーを表示させている。
【００２８】
制御装置４０は、ステップ１０８において、扉２２が開けられてドアスイッチ２３からオフ信号が入力されたか否かの判定を実行する。制御装置４０は、ドアスイッチ２３からオフ信号が入力されるまで「ＮＯ」の判定を繰り返し実行しているなかで、扉２２が開けられてドアスイッチ２３からオフ信号が入力されると、「ＹＥＳ」と判定してステップ１０９に進める。制御装置４０は、ステップ１０９において、ステップ２００、３００、４００または５００で実行された各洗浄プログラムが正常に終了したか否かを判定し、各洗浄プログラムが正常に終了していれば「ＹＥＳ」と判定し、ステップ１１０において、電源をオフさせて終了する。このように、各洗浄プログラムが正常に終了していても、扉２２を開けるまで電源がオフされないので、扉２２が閉まった状態であっても洗浄槽２０内の医療用器具が洗浄前か洗浄後であるかすぐにわかる。これに対し、制御装置４０は、各洗浄プログラムが正常に終了していなければ「ＮＯ」と判定し、電源をオフさせずに操作パネル４１の表示部４１ａにエラーを引き続き表示させる。このように、洗浄プログラムが正常に終了せずにエラーが表示されているときに、エラーの表示に気づかずに扉２２を開けて医療用器具を取り出しても、引き続きエラーが表示されるために、その後、エラーの表示を見て洗浄プログラムが正常に終了していないことに気づくことができる。
【００２９】
次に、各モードにおけるアルカリ性洗剤コースと酵素入り洗剤コースの洗浄プログラムについて説明する。図６に示すように、通常モードでのアルカリ性洗剤コースでは、制御装置４０は、ステップ２０１において、ＲＡＭに記憶された給水流量と給湯流量とを用いて、予洗浄工程、本洗浄工程及び２回の濯ぎ洗浄工程よりなる洗浄プログラムが完了するまでの残り時間を算出して操作パネル４１の表示部４１ａに表示する。
【００３０】
次に、制御装置４０は、ステップ２０２〜２０６による予洗浄工程を実行する。この予洗浄工程では、制御装置４０は、ステップ２０２において、給水弁２８ａと給湯弁２９ａとを開弁させる。これにより、給水管２８と給湯管２９とからの水と湯とが洗浄槽２０のタンク部２０ａに供給されて、予洗浄工程での給水処理が開始される。このとき、制御装置４０は、給水管２８からの給水量と給湯管２９からの給湯量が等比率（所定の割合）となるように、給水弁２８ａと給湯弁２９ａとの作動を制御する。具体的には、制御装置４０は、ＲＡＭに記憶された給水流量と給湯流量とに基づいて、流量の多い方の給水弁２８ａまたは給湯弁２９ａの開弁時間を短くするように制御する。これにより、給水管２８からの水が想定された最大の温度である３０℃で、給湯管２９からの湯が想定された最大の温度である７０℃であっても、予洗浄工程の洗浄水の温度は血液やタンパク質が凝固しない温度として５０℃以下となる。
【００３１】
次に、制御装置４０は、ステップ２０３において、ステップ２０２によって実行している給水及び給湯によって洗浄槽２０内のタンク部２０ａの洗浄水が所定水位Ｌとなっているか否かを判定する。制御装置４０は、ステップ２０３において、タンク部２０ａの洗浄水が所定水位Ｌとなるまで「ＮＯ」と繰り返し判定しているなかで、タンク部２０ａの洗浄水が所定水位Ｌとなってフロートスイッチ３７からオン信号が入力されると「ＹＥＳ」と判定してステップ２０４に進める。制御装置４０は、ステップ２０４において、給水弁２８ａと給湯弁２９ａとを閉弁させて給水処理を終了する。
【００３２】
次に、制御装置４０は、ステップ２０５において、予洗浄工程での洗浄処理として洗浄ポンプ２７を１分間駆動させる。これにより、タンク部２０ａ内の洗浄水は循環パイプ２６を介して洗浄ノズル２４、２５に圧送され、洗浄ノズル２４、２５は回転しながら洗浄水を医療用器具に噴射して洗浄する。この洗浄処理後、制御装置４０は、ステップ２０６において、排水処理として排水ポンプ３４を所定時間として３０秒間駆動させる。これにより、タンク部２０ａ内の洗浄水は排水管３３を通って機外に排出される。このとき、排水補助板３５により、排水時におけるエア噛みを防いで排水音を小さくできるとともに、タンク部２０ａに残る洗浄水を少なくして、以後の本洗浄工程による洗浄水が汚れるのを防ぐことができる。
【００３３】
ステップ２０２〜２０６による予洗浄工程が完了すると、制御装置４０は、ステップ２２１〜２２６により本洗浄工程を実行する。この本洗浄工程では、制御装置４０は、ステップ２２１において、給湯弁２９ａを開弁させる。これにより、給湯管２９からの湯が洗浄槽２０のタンク部２０ａに供給されて、本洗浄工程での給湯処理が開始される。制御装置４０は、ステップ２２２において、フロートスイッチ３７による検出に基づいて洗浄槽２０内のタンク部２０ａの洗浄水が所定水位Ｌとなっているか否かを判定する。制御装置４０は、ステップ２２２において、タンク部２０ａの洗浄水が所定水位Ｌとなるまで「ＮＯ」と繰り返し判定しているなかで、タンク部２０ａの洗浄水が所定水位Ｌとなってフロートスイッチ３７からオン信号が入力されると「ＹＥＳ」と判定してステップ２２３に進める。制御装置４０は、ステップ２２３において、給湯弁２９ａを閉弁させて給湯処理を終了する。
【００３４】
次に、制御装置４０は、本洗浄工程での洗浄処理として、ステップ２２４において、洗剤供給装置３９により洗浄槽２０内にアルカリ性洗剤を供給させ、ステップ２２５において、洗浄ポンプ２７を２分間駆動させる。これにより、タンク部２０ａ内のアルカリ性洗剤を含んだ洗浄水は循環パイプ２６を介して洗浄ノズル２４、２５に圧送され、洗浄ノズル２４、２５は回転しながらこの洗浄水を医療用器具に噴射して洗浄する。この洗浄処理後、制御装置４０は、ステップ２２６において、排水処理として排水ポンプ３４を所定時間として３０秒間駆動させる。これにより、タンク部２０ａ内の洗浄水は排水管３３を通って機外に排出される。このとき、排水補助板３５により、タンク部２０ａに残る洗浄水を少なくでき、以後の濯ぎ洗浄工程による洗浄水が汚れるのを防ぐことができる。
【００３５】
ステップ２２１〜２２６による本洗浄工程が完了すると、制御装置４０は、ステップ２４１〜２４６により濯ぎ洗浄工程を２回実行する。この濯ぎ洗浄工程では、制御装置４０は、ステップ２４１において、給湯弁２９ａを開弁させる。これにより、給湯管２９からの湯が洗浄槽２０のタンク部２０ａに供給されて、濯ぎ洗浄工程での給湯処理が開始される。制御装置４０は、ステップ２４２において、フロートスイッチ３７による検出に基づいて洗浄槽２０内のタンク部２０ａの洗浄水が所定水位Ｌとなっているか否かを判定する。制御装置４０は、ステップ２４２において、タンク部２０ａの洗浄水が所定水位Ｌとなるまで「ＮＯ」と繰り返し判定しているなかで、タンク部２０ａの洗浄水が所定水位Ｌとなってフロートスイッチ３７からオン信号が入力されると「ＹＥＳ」と判定してステップ２４３に進める。制御装置４０は、ステップ２４３において、給湯弁２９ａを閉弁させて給水処理を終了する
次に、制御装置４０は、ステップ２４４において、濯ぎ洗浄工程での洗浄処理として洗浄ポンプ２７を１５秒間駆動させる。これにより、タンク部２０ａ内の洗浄水は循環パイプ２６を介して洗浄ノズル２４、２５に圧送され、洗浄ノズル２４、２５は回転しながら洗浄水を医療用器具に噴射して、洗剤を含んだ洗浄水を洗い落とす。この洗浄処理後、制御装置４０は、ステップ２４５において、排水処理として排水ポンプ３４を所定時間として３０秒間駆動させる。これにより、タンク部２０ａ内の洗浄水は排水管３３を通って機外に排出される。制御装置４０は、ステップ２４６において、濯ぎ洗浄工程を２回実行したか否かを判定し、２回実行していないときには「ＮＯ」と判定して、上述したステップ２４１〜２４５における処理を実行する。濯ぎ洗浄工程を２回実行したら、制御装置４０は、ステップ２４６において、「ＹＥＳ」と判定して通常モードでのアルカリ性洗剤コースによる洗浄プログラムを終了する。
【００３６】
次に、測定モードでのアルカリ性洗剤コースの洗浄プログラムについて説明する。この測定モードでは洗浄プログラムを実行しているときに、制御装置４０は給水流量算出手段と給湯流量算出手段とにより給水流量と給湯流量とを算出してＲＡＭに記憶する。
【００３７】
図７に示すように、制御装置４０は、ステップ３０１において、ＲＡＭに記憶された給水流量と給湯流量とを用いて、予洗浄工程、本洗浄工程及び２回の濯ぎ洗浄工程よりなる洗浄プログラムが完了するまでの残り時間を算出して操作パネル４１の表示部４１ａに表示する。
【００３８】
次に、制御装置４０は、ステップ３０２〜３０７による予洗浄工程を実行する。測定モードでのアルカリ性洗剤コースでは、制御装置４０は、予洗浄工程で給水流量算出手段を実行する。そのために、測定モードでは、予洗浄工程での洗浄力が低下するが、予洗浄工程での洗浄水に給水管２８からの水のみを用いて洗浄する。詳述すると、この予洗浄工程では、先ず制御装置４０は、ステップ３０２において、給水弁２８ａを開弁させるとともにタイマによる計時を開始する。これにより、給水管２８からの水が洗浄槽２０のタンク部２０ａに供給されて、予洗浄工程での給水処理が開始される。
【００３９】
制御装置４０は、ステップ３０３において、洗浄槽２０内のタンク部２０ａの洗浄水が所定水位Ｌとなっているか否かを判定する。制御装置４０は、ステップ３０３において、タンク部２０ａの洗浄水が所定水位Ｌとなるまで「ＮＯ」と繰り返し判定しているなかで、タンク部２０ａの洗浄水が所定水位Ｌとなってフロートスイッチ３７からオン信号が入力されると「ＹＥＳ」と判定してステップ３０４に進める。制御装置４０は、ステップ３０４において、給水弁２８ａを閉弁させるとともにタイマによる計時を終えて給水処理を終了する。制御装置４０は、ステップ３０５において、計時した給水時間から給水管２８による単位時間当たりの給水流量を算出してＲＡＭに新たに記憶する。
【００４０】
次に、制御装置４０は、ステップ３０６において、予洗浄工程での洗浄処理として洗浄ポンプ２７を１分間駆動させる。これにより、タンク部２０ａ内の洗浄水は循環パイプ２６を介して洗浄ノズル２４、２５に圧送され、洗浄ノズル２４、２５は回転しながら洗浄水を医療用器具に噴射して洗浄する。この洗浄処理後、制御装置４０は、ステップ３０７において、排水処理として排水ポンプ３４を所定時間として３０秒間駆動させる。これにより、タンク部２０ａ内の洗浄水は排水管３３を通って機外に排出される。
【００４１】
ステップ３０２〜３０７による予洗浄工程が完了すると、制御装置４０は、ステップ３２１〜３２７により本洗浄工程を実行する。測定モードでのアルカリ性洗剤コースでは、制御装置４０はこの本洗浄工程で給湯流量算出手段を実行する。詳述すると、この本洗浄工程では、制御装置４０は、ステップ３２１において、給湯弁２９ａを開弁させるとともにタイマによる計時を開始する。これにより、給湯管２９からの湯が洗浄槽２０のタンク部２０ａに供給されて、本洗浄工程での給湯処理が開始される。制御装置４０は、ステップ３２２において、フロートスイッチ３７による検出に基づいて洗浄槽２０内のタンク部２０ａの洗浄水が所定水位Ｌとなっているか否かを判定する。制御装置４０は、ステップ３２２において、タンク部２０ａの洗浄水が所定水位Ｌとなるまで「ＮＯ」と繰り返し判定しているなかで、タンク部２０ａの洗浄水が所定水位Ｌとなってフロートスイッチ３７からオン信号が入力されると「ＹＥＳ」と判定してステップ３２３に進める。制御装置４０は、ステップ３２３において、給湯弁２９ａを閉弁させるとともにタイマによる計時を終了する。制御装置４０は、ステップ３２４において、計時した給湯時間から給湯管２９による単位時間当たりの給湯流量を算出してＲＡＭに新たに記憶する。
【００４２】
次に、制御装置４０は、本洗浄工程での洗浄処理として、ステップ３２５において、洗剤供給装置３９により洗浄槽２０内にアルカリ性洗剤を供給させ、ステップ３２６において、洗浄ポンプ２７を２分間駆動させる。これにより、タンク部２０ａ内のアルカリ性洗剤を含んだ洗浄水は循環パイプ２６を介して洗浄ノズル２４、２５に圧送され、洗浄ノズル２４、２５は回転しながらこの洗浄水を医療用器具に噴射して洗浄する。この洗浄処理後、制御装置４０は、ステップ３２７において、排水処理として排水ポンプ３４を所定時間として３０秒間駆動させる。これにより、タンク部２０ａ内の洗浄水は排水管３３を通って機外に排出される。
【００４３】
ステップ３２１〜３２７による本洗浄工程が完了すると、制御装置４０は、ステップ３４１〜３４６により濯ぎ洗浄工程を２回実行して測定モードでのアルカリ性洗剤コースによる洗浄プログラムを終了する。この濯ぎ洗浄工程は、上述したステップ２４１〜２４６により説明した通常モードでのアルカリ性洗浄コースの洗浄プログラムの濯ぎ洗浄工程と同様であるので詳細な説明は省略する。
【００４４】
次に、各モードにおける酵素入り洗剤コースの洗浄プログラムについて説明する。酵素入り洗剤コースの洗浄プログラムの特徴は、主として本洗浄工程の洗浄水の温度を酵素が失活しない温度して５０℃以下となるように制御したものである。図８に示すように、通常モードでの酵素入り洗剤コースでは、制御装置４０は、ステップ４０１において、ＲＡＭに記憶された給水流量と給湯流量とを用いて、予洗浄工程、本洗浄工程及び２回の濯ぎ洗浄工程よりなる洗浄プログラムが完了するまでの残り時間を算出して操作パネル４１の表示部４１ａに表示する。
【００４５】
次に、制御装置４０は、ステップ４０２〜４０６により予洗浄工程を実行する。この予洗浄工程は、上述したステップ２０２〜２０６により説明した通常モードでのアルカリ性洗浄コースの洗浄プログラムの予洗浄工程と同様であるので詳細な説明は省略する。
【００４６】
ステップ４０２〜４０６による予洗浄工程が完了すると、制御装置４０は、ステップ４２１〜４３２により本洗浄工程を実行する。この本洗浄工程では、制御装置４０は、ステップ４２１において、給湯弁２９ａを開弁させる。これにより、給湯管２９からの湯が洗浄槽２０のタンク部２０ａに供給されて、本洗浄工程での給湯処理が開始される。制御装置４０は、ステップ４２２において、フロートスイッチ３７による検出に基づいて洗浄槽２０内のタンク部２０ａの洗浄水が所定水位Ｌとなっているか否かを判定する。制御装置４０は、ステップ４２２において、タンク部２０ａの洗浄水が所定水位Ｌとなるまで「ＮＯ」と繰り返し判定しているなかで、タンク部２０ａの洗浄水が所定水位Ｌとなってフロートスイッチ３７からオン信号が入力されると「ＹＥＳ」と判定してステップ４２３に進める。制御装置４０は、ステップ４２３において、給湯弁２９ａを閉弁させる。
【００４７】
洗剤供給装置３９から供給される洗剤に含まれる酵素がタンク部２０ａの洗浄水によって失活しないように、制御装置４０は、ステップ４２４において、洗浄ポンプ２７を駆動させ、ステップ４２５において、温度センサ２１の検出温度が５０℃以下であるか否かの判定をする。制御装置４０は、このステップ４２５における判定において、温度センサ２１の検出温度が５０℃以下であれば「ＹＥＳ」と判定してステップ４３０に進め、温度センサ２１の検出温度が５０℃より高ければ「ＮＯ」と判定して、ステップ４２６〜４２９において、洗剤に含まれる酵素が失活しない温度まで洗浄水の温度を下げるように制御する。詳述すると、制御装置４０は、ステップ４２６において、給水弁２８ａを開弁させ、タイマによる計時を開始する。これにより、タンク部２０ａ内の洗浄水は、洗浄ノズル２４、２５から医療用器具に噴射されながら、給水管２８からの給水により徐々に温度が低下していく。このように、洗浄ポンプ２７を駆動させながら給水管２８により給水をすることで、タンク部２０ａ内の洗浄水の温度を均一にして温度センサ２１による正確な温度の検出を可能にすることができ、また、洗剤に含まれる酵素が予洗浄処理によって熱を持った医療用器具や洗浄槽２０の内壁により失活しないようにしている。
【００４８】
制御装置４０は、ステップ４２７において、温度センサ２１による検出温度が５０℃以下となっているか否かを判定する。制御装置４０は、ステップ４２７において、温度センサ２１による検出温度が５０℃以下となるまで「ＮＯ」と繰り返し判定しているなかで、給水により温度センサ２１による検出温度が５０℃以下となると「ＹＥＳ」と判定してステップ４２８に進める。制御装置４０は、ステップ４２８において、給水弁２８ａを閉弁させるとともにタイマによる計時を終了する。制御装置４０は、ステップ４２９において、計時した給水時間とＲＡＭに記憶された給水流量とから給水量を算出し、オーバーフロー管３８により排水されるまでの水量（本実施形態では上限水位である７Ｌから所定水位Ｌである５Ｌを除した値である２Ｌ）を上限として加えた給水量と同量の洗浄水を排水するようにＲＡＭに記憶された排水流量から排水ポンプ３４の排水時間を算出し、算出した排水時間だけ排水ポンプ３４を駆動させる。これにより、タンク部２０ａ内の洗浄水は、常に所定水位Ｌとなるように制御され、酵素入り洗剤を加えたときの洗剤の濃度を一定とすることができる。
【００４９】
制御装置４０は、本洗浄工程での洗浄処理として、ステップ４３０において、洗剤供給装置３９により洗浄槽２０内に酵素入り洗剤を供給させ、ステップ４３１において、洗浄ポンプ２７を５分間駆動させる。これにより、タンク部２０ａ内の酵素入り洗剤を含んだ洗浄水は循環パイプ２６を介して洗浄ノズル２４、２５に圧送され、洗浄ノズル２４、２５は回転しながらこの洗浄水を医療用器具に噴射して洗浄する。なお、この酵素入り洗剤コースでは、洗剤に含まれる酵素が十分に機能できるように、アルカリ性洗剤コースより長い洗浄時間に設定されている。この洗浄処理後、制御装置４０は、ステップ４３２において、排水処理として排水ポンプ３４を所定時間として３０秒間駆動させる。これにより、タンク部２０ａ内の洗浄水は排水管３３を通って機外に排出される。
【００５０】
ステップ４２１〜４３２による本洗浄工程が完了すると、制御装置４０は、ステップ４４１〜４４６により濯ぎ洗浄工程を２回実行して通常モードでの酵素入り洗剤コースによる洗浄プログラムを終了する。この濯ぎ洗浄工程は、上述したステップ２４１〜２４６により説明した通常モードでのアルカリ性洗浄コースの洗浄プログラムの濯ぎ洗浄工程と同様であるので詳細な説明は省略する。
【００５１】
次に、測定モードでの酵素入り洗剤コースの洗浄プログラムについて説明する。この測定モードでは洗浄プログラムを実行しているときに、制御装置４０は給水流量算出手段、給湯流量算出手段及び排水流量算出手段により単位時間当たりの給水流量、給湯流量及び排水流量を算出してＲＡＭに記憶する。
【００５２】
図９に示すように、制御装置４０は、ステップ５０１において、ＲＡＭに記憶された給水流量と給湯流量とを用いて、予洗浄工程、本洗浄工程及び２回の濯ぎ洗浄工程よりなる洗浄プログラムが完了するまでの残り時間を算出して操作パネル４１の表示部４１ａに表示する。
【００５３】
次に、制御装置４０は、ステップ５０２〜５０７による予洗浄工程を実行する。測定モードでの酵素入り洗剤コースでは、制御装置４０はこの予洗浄工程で給水流量算出手段を実行する。この予洗浄工程は、上述したステップ３０２〜３０７により説明した測定モードでのアルカリ性洗剤コースの洗浄プログラムの予洗浄工程と同様であるので詳細な説明は省略する。
【００５４】
ステップ５０２〜５０７による予洗浄工程が完了すると、制御装置４０は、ステップ５２１〜５３８により本洗浄工程を実行する。測定モードでの酵素入り洗剤コースでは、制御装置４０はこの本洗浄工程で給湯流量算出手段と排水流量算出手段とを実行する。詳述すると、この本洗浄工程では、制御装置４０は、ステップ５２１において、給湯弁２９ａを開弁させるとともにタイマによる計時を開始する。これにより、給湯管２９からの湯が洗浄槽２０のタンク部２０ａに供給されて、本洗浄工程での給湯処理が開始される。制御装置４０は、ステップ５２２において、フロートスイッチ３７による検出に基づいて洗浄槽２０内のタンク部２０ａの洗浄水が所定水位Ｌとなっているか否かを判定する。制御装置４０は、ステップ５２２において、タンク部２０ａの洗浄水が所定水位Ｌとなるまで「ＮＯ」と繰り返し判定しているなかで、タンク部２０ａの洗浄水が所定水位Ｌとなってフロートスイッチ３７からオン信号が入力されると「ＹＥＳ」と判定してステップ５２３に進める。制御装置４０は、ステップ５２３において、給湯弁２９ａを閉弁させるとともにタイマによる計時を終了する。制御装置４０は、ステップ５２４において、計時した給湯時間から給湯管２９による単位時間当たりの給湯流量を算出してＲＡＭに新たに記憶する。
【００５５】
次に、制御装置４０は、ステップ５２５において、排水ポンプ３４を１０秒間駆動させる。このステップ５２５の処理後、制御装置４０は、ステップ５２６において、再び給湯弁２９ａを開弁させるとともにタイマによる計時を開始する。制御装置４０は、ステップ５２７において、フロートスイッチ３７による検出に基づいて洗浄槽２０内のタンク部２０ａが再び所定水位Ｌとなっているか否かを判定する。制御装置４０は、ステップ５２７において、タンク部２０ａの洗浄水が所定水位Ｌとなるまで「ＮＯ」と繰り返し判定しているなかで、タンク部２０ａの洗浄水が所定水位Ｌとなってフロートスイッチ３７からオン信号が入力されると「ＹＥＳ」と判定してステップ５２８に進める。制御装置４０は、ステップ５２８において、給湯弁２９ａを閉弁させるとともにタイマによる計時を終了する。制御装置４０は、ステップ５２９において、この計時した給湯時間にＲＡＭに記憶された給湯流量を乗じてステップ５２５で実行した排水量を算出し、この排水量を排水時間の１０秒で除することで排水ポンプ３４の単位時間当たりの排水流量を算出してＲＡＭに新たに記憶する。
【００５６】
次に、洗剤供給装置３９から供給される洗剤に含まれる酵素がタンク部２０ａの洗浄水によって失活しないように、制御装置４０は、ステップ５３０において、洗浄ポンプ２７を駆動させ、ステップ５３１において、温度センサ２１の検出温度が５０℃以下であるか否かの判定をする。制御装置４０は、このステップ５３１における判定において、温度センサ２１の検出温度が５０℃以下であるか否かの判定をし、温度センサ２１の検出温度が５０℃以下であれば「ＹＥＳ」と判定してステップ５３６に進め、温度センサ２１の検出温度が５０℃より高ければ「ＮＯ」と判定して、ステップ５３２〜５３５において、洗剤に含まれる酵素が失活しない温度まで洗浄水の温度を下げるように制御する。詳述すると、制御装置４０は、ステップ５３２において、給水弁２８ａを開弁させ、タイマによる計時を開始する。これにより、タンク部２０ａ内の洗浄水は、洗浄ノズル２４、２５から医療用器具に噴射されながら、給水管２８からの給水により徐々に温度が低下していく。このように、洗浄ポンプ２７を駆動させながら給水管２８により給水をすることで、タンク部２０ａ内の洗浄水の温度を均一にして温度センサ２１による正確な温度の検出を可能にすることができる。
【００５７】
制御装置４０は、ステップ５３３において、温度センサ２１による検出温度が５０℃以下となっているか否かを判定する。制御装置４０は、ステップ５３３において、温度センサ２１による検出温度が５０℃以下となるまで「ＮＯ」と繰り返し判定しているなかで、給水により温度センサ２１による検出温度が５０℃以下となると「ＹＥＳ」と判定してステップ５３４に進める。制御装置４０は、ステップ５３４において、給水弁２８ａを閉弁させるとともにタイマによる計時を終了する。制御装置４０は、ステップ５３５において、計時した給水時間とＲＡＭに記憶された給水流量とから給水量を算出し、オーバーフロー管３８により排水されるまでの水量（本実施形態では上限水位である７Ｌから所定水位Ｌである５Ｌを除した値である２Ｌ）を上限として加えた給水量と同量の洗浄水を排水するようにＲＡＭに記憶された排水流量から排水ポンプ３４の排水時間を算出し、算出した排水時間だけ排水ポンプ３４を駆動させる。これにより、タンク部２０ａ内の洗浄水は、常に所定水位Ｌとなるように制御され、酵素入り洗剤を加えたときの洗剤の濃度を一定とすることができる。
【００５８】
制御装置４０は、本洗浄工程での洗浄処理として、ステップ５３６において、洗剤供給装置３９により洗浄槽２０内に酵素入り洗剤を供給させ、ステップ５３７において、洗浄ポンプ２７を５分間駆動させる。これにより、タンク部２０ａ内の酵素入り洗剤を含んだ洗浄水は循環パイプ２６を介して洗浄ノズル２４、２５に圧送され、洗浄ノズル２４、２５は回転しながらこの洗浄水を医療用器具に噴射して洗浄する。なお、この酵素入り洗剤コースでは、洗剤に含まれる酵素が十分に機能できるように、アルカリ性洗剤コースより長い洗浄時間に設定されている。この洗浄処理後、制御装置４０は、ステップ５３８において、排水処理として排水ポンプ３４を所定時間として３０秒間駆動させる。これにより、タンク部２０ａ内の洗浄水は排水管３３を通って機外に排出される。
【００５９】
ステップ５２１〜５３８による本洗浄工程が完了すると、制御装置４０は、ステップ５４１〜５４６により濯ぎ洗浄工程を２回実行して測定モードでの酵素入り洗剤コースによる洗浄プログラムを終了する。この濯ぎ洗浄工程は、上述したステップ２４１〜２４６により説明した通常モードでのアルカリ性洗浄コースの洗浄プログラムの濯ぎ洗浄工程と同様であるので詳細な説明は省略する。
【００６０】
上記のように構成した洗浄機１０においては、制御装置４０は、給水管２８により洗浄槽２０のタンク部２０ａに供給される水がフロートスイッチ３７により所定水位Ｌを検出するまでの給水時間からその単位時間当たりの流量を算出してＲＡＭに記憶する給水流量算出手段と、給湯管２９から洗浄槽２０のタンク部２０ａ内に供給される湯がフロートスイッチ３７により所定水位Ｌを検出するまでの時間からその単位時間当たりの流量を算出してＲＡＭに記憶する給湯流量算出手段とを備え、これら給水流量算出手段と給湯流量算出手段とによりＲＡＭに記憶された水と湯の流量に基づいて所定水位Ｌとなるまでの給水及び／または給湯時間を算出し、この算出した給水及び／または給湯時間を用いて洗浄プログラムが終了するまでの残り時間を算出してこれを表示部４１ａに表示するようにしている。これにより、給水流量及び／または給湯流量に基づく給水（給湯）時間を反映させた洗浄プログラムが終了するまでの残り時間を表示するときに、給水管２８及び給湯管２９に高価な流量センサを介装する必要がなくなり、コストダウンをすることができる。また、給水管２８及び給湯管２９に流量センサを介装する必要がないので、部品点数を減らすことができて洗浄機が故障する可能性を減らすことができる。
【００６１】
また、制御装置４０は、洗浄プログラムを実行しているときにこれら給水流量算出手段と給湯流量算出手段とを実行するように制御しているので、これら給水流量算出手段と給湯流量算出手段とを実行するために洗浄水を余分に使う必要がなくなる。
【００６２】
また、この洗浄機１０においては、制御装置４０は、洗浄槽２０のタンク部２０ａの洗浄水が所定水位Ｌであるときに排水ポンプ３４を所定時間として１０秒間駆動させて排水し、排水後に給湯弁２９ａを開弁させて給湯管（洗浄水供給管）２９からタンク部２０ａに湯を再びフロートスイッチ３７により所定水位Ｌを検出するまで供給したときの給湯時間（供給時間）とＲＡＭに記憶された給湯流量（洗浄水の流量）とから排水ポンプ３４を所定時間として１０秒間駆動させたときの排水量を算出し、算出した排水量から排水ポンプ３４による単位時間当たりの排水流量を算出してＲＡＭに記憶する排水流量算出手段を備えている。これにより、高価な流量センサを排水管３３に介装することなく排水流量を算出することができ、算出した排水ポンプ３４の排水流量を用いることで、酵素入り洗剤コースの洗浄プログラムを実行したときに、洗浄工程で洗浄水の温度を５０℃以下とするときに給水して増えた量の洗浄水を正確に排水することができ、酵素入り洗剤の濃度を一定とすることができる。
【００６３】
本実施形態においては、各洗浄プログラムの各洗浄工程を実行しているときに、排水処理として５Ｌの洗浄水を排水するために排水ポンプ３４を所定時間として３０秒間駆動させているが、本発明はこれに限られるものでなく、排水処理としてＲＡＭに記憶された排水流量を用いて所定水位Ｌとなっている５Ｌの洗浄水を排水する排水時間を算出し、排水ポンプ３４をその算出した排水時間駆動させてもよく、このようにすれば、排水ポンプ３４の排水能力に応じて過不足のない排水時間とすることができる。
【符号の説明】
【００６４】
１０…洗浄機、２０…洗浄槽、２４、２５…洗浄ノズル、２７…洗浄ポンプ、２８、２９…洗浄水供給管（給水管、給湯管）、３４…排水ポンプ、３７…水位センサ（フロートスイッチ）、４０…制御装置。
【図１】
0005530892.tif 000002
【図２】
0005530892.tif 000003
【図３】
0005530892.tif 000004
【図４】
0005530892.tif 000005
【図５】
0005530892.tif 000006
【図６】
0005530892.tif 000007
【図７】
0005530892.tif 000008
【図８】
0005530892.tif 000009
【図９】
0005530892.tif 000010